(57)【要約】【課題】ずれや破損のおそれを少なくして蛇の登攀を確実に防止する。【解決手段】電柱１０の全周に亘って密着状態で巻き付け可能な横寸法と、少なくとも５００ｍｍ以上の縦寸法とを有する合成樹脂製の薄板状である電柱用防蛇シート１を、電柱１０の全周に地面から１ｍ以上の高さで巻き付けて、ステンレスバンド４によって固定する。【選択図】図２
2016013100.tif 000002
【特許請求の範囲】
【請求項１】
電柱の全周に亘って密着状態で巻き付け可能な横寸法と、少なくとも５００ｍｍ以上の縦寸法とを有する合成樹脂製の薄板状であることを特徴とする電柱用防蛇シート。
【請求項２】
片面に前記電柱への接着部を有することを特徴とする請求項１に記載の電柱用防蛇シート。
【請求項３】
電柱の全周に、請求項１又は２に記載の電柱用防蛇シートを、地面から１ｍ以上の高さで巻き付けて、固定手段によって固定することを特徴とする電柱における蛇の登攀防止構造。
【請求項４】
前記電柱用防蛇シートを巻き付けた際に重なり合う外側の端部とその内側の端部とに跨がって、前記電柱用防蛇シートよりも厚みの薄いテープを両前記端部全長に亘って貼着することを特徴とする請求項３に記載の電柱における蛇の登攀防止構造。
【発明の詳細な説明】
【技術分野】
【０００１】
本発明は、電柱に蛇が登攀するのを防止するために用いられる電柱用防蛇シートと、電柱における蛇の登攀防止構造とに関する。
【背景技術】
【０００２】
電柱への蛇の登攀による電線のショート事故を防ぐために、例えば特許文献１に示すように、波状の合成樹脂シートを電柱に巻き付けることで、蛇の登攀防止を図る発明が開示されている。
【先行技術文献】
【特許文献】
【０００３】
【特許文献１】実開昭５７−８９４８４号公報
【発明の概要】
【発明が解決しようとする課題】
【０００４】
上記従来の合成樹脂シートは、凹凸のある波状となっているため、凸部が電柱の表面から浮いた状態となり、外力によってずれたり割れたりするおそれがある。このようなずれや破損が生じると蛇の登攀防止効果が低下してしまう。
【０００５】
そこで、本発明は、ずれや破損のおそれを少なくして蛇の登攀を確実に防止することができる電柱用防蛇シートと、電柱における蛇の登攀防止構造とを提供することを目的としたものである。
【課題を解決するための手段】
【０００６】
上記目的を達成するために、請求項１に記載の発明は、電柱用防蛇シートであって、電柱の全周に亘って密着状態で巻き付け可能な横寸法と、少なくとも５００ｍｍ以上の縦寸法とを有する合成樹脂製の薄板状であることを特徴とするものである。
請求項２に記載の発明は、請求項１の構成において、片面に電柱への接着部を有することを特徴とするものである。
上記目的を達成するために、請求項３に記載の発明は、電柱における蛇の登攀防止構造であって、電柱の全周に、請求項１又は２に記載の電柱用防蛇シートを、地面から１ｍ以上の高さで巻き付けて、固定手段によって固定することを特徴とするものである。
請求項４に記載の発明は、請求項３の構成において、電柱用防蛇シートを巻き付けた際に重なり合う外側の端部とその内側の端部とに跨がって、電柱用防蛇シートよりも厚みの薄いテープを両端部全長に亘って貼着することを特徴とするものである。
【発明の効果】
【０００７】
請求項１及び３に記載の発明によれば、電柱用防蛇シートのずれや破損のおそれを少なくして蛇の登攀を確実に防止することができる。
請求項２に記載の発明によれば、請求項１の効果に加えて、接着部の採用により、電柱用防蛇シートの装着作業が容易に行える。
請求項４に記載の発明によれば、請求項３の効果に加えて、両端部に跨がってテープを貼着することで、外側の端部のエッジを利用して蛇が登攀するおそれを解消することができる。
【図面の簡単な説明】
【０００８】
【図１】電柱用防蛇シートの説明図である。
【図２】（Ａ）〜（Ｅ）は電柱用防蛇シートの装着手順を示す説明図である。
【図３】蛇の登攀防止構造の変更例を示す説明図で、（Ａ）が正面図を示し、（Ｂ）が端部の重なり部分を拡大して示す。
【図４】蛇の登攀防止構造の変更例を示す説明図で、（Ａ）が正面図を示し、（Ｂ）が端部の突き合わせ部分を拡大して示す。
【図５】蛇の登攀防止構造の変更例を示す説明図で、端部の重なり部分を拡大して示す。
【発明を実施するための形態】
【０００９】
以下、本発明の実施の形態を図面に基づいて説明する。
図１は、電柱用防蛇シートの一例を示す説明図で、この電柱用防蛇シート（以下単に「防蛇シート」という。）１は、０．１８ｍｍの厚みを有するポリカーボネート製で、ここでは縦寸法が９１５ｍｍ、横寸法が１１５０ｍｍの矩形状となっている。防蛇シート１の長手方向の一端には、接着部としての両面テープ２，２・・が３カ所に貼着され、他端には、接着部としての両面テープ３が、当該端部全長に亘って貼着されている。各両面テープ２，３には剥離紙が貼着されている。
【００１０】
この防蛇シート１を電柱に装着する場合は、図２（Ａ）に示すように、まず電柱１０において、防蛇シート１を装着する部分の足場ボルト１１，１１を取り外し、同図（Ｂ）に示すように、一端側の両面テープ２，２・・の剥離紙を剥がして電柱１０に仮止めする。次に、同図（Ｃ）に示すように、防蛇シート１を電柱１０に巻き付け、仮止めした一端に他端を重ねて両面テープ３を貼り付ける。そして、同図（Ｄ）に示すように防蛇シート１の上下端に固定手段としてのステンレスバンド４，４を巻回して固定すれば、同図（Ｅ）に示すように電柱１０の表面全周に亘って防蛇シート１が密着状態で装着される。このとき地面から防蛇シート１の下端までの高さＨは、１ｍ以上とする。
【００１１】
こうして防蛇シート１によって登攀防止構造が施された電柱１０では、蛇が登ろうとしても、体を支えて１ｍの高さにある下側のステンレスバンド４まで立ち上がることができない。たとえステンレスバンド４まで達することがあっても、その上は滑りやすい防蛇シート１で覆われているため、防蛇シート１を越えて登ることはできない。よって、蛇の登攀を効果的に防止することができる。また、防蛇シート１は電柱１０の表面に密着しているので、外力によってずれたり破損したりするおそれは少なく、長期に亘って登攀防止効果を維持することができる。
【００１２】
このように、上記形態の防蛇シート１及び蛇の登攀防止構造によれば、電柱１０の全周に亘って密着状態で巻き付け可能な合成樹脂製の薄板状である防蛇シート１を、電柱１０の全周に地面から１ｍ以上の高さで巻き付けて、ステンレスバンド４によって固定することで、ずれや破損のおそれを少なくして蛇の登攀を確実に防止することができる。
特にここでは、防蛇シート１の片面に電柱１０への接着部となる両面テープ２，３を設けているので、防蛇シート１の装着作業が容易に行える。
【００１３】
なお、防蛇シートの材質や厚みは上記形態に限らず、ポリカーボネート以外の他の合成樹脂を使用したり、厚みを適宜増減したりしてもよい。また、縦寸法も、９１５ｍｍに限定する必要はないが、少なくとも５００ｍｍ以上とすれば蛇が越えられない長さとなって登攀防止に効果的となる。
さらに、横寸法も、装着する電柱の外周寸法以上であれば、１１５０ｍｍに限らず適宜変更可能であるが、電柱の全周よりも長い場合、端部同士が重なって外側の端部が露出し、当該端部のエッジが蛇の登攀に利用されるおそれがあるため、図３に示すように、外側の端部と内側の端部とに跨がって防蛇シート１よりも厚みの薄いテープ５を両端部全長に亘って貼着してもよい。このようにすれば、外側の端部のエッジを利用して蛇が登攀するおそれを解消することができる。
【００１４】
一方、図４に示すように、防蛇シート１の横寸法を電柱１０の全周寸法と一致させれば、端部同士が突き合わせ状態となってエッジが露出することがなくなる。
また、図５に示すように、外側の端部に斜めにカットした傾斜部１ａを形成すれば、テープを貼着しなくてもエッジの露出をなくすことができる。
その他、防蛇シートを巻き付ける際の固定に利用する両面テープは、上記形態以外に数や場所を適宜変えても差し支えなく、接着部としては両面テープに限らず接着剤を塗布することも可能である。また、固定手段も、ステンレスバンド以外に合成樹脂製の結束バンドや接着剤、テープ等の他の手段も採用できる。
【符号の説明】
【００１５】
１・・電柱用防蛇シート、２，３・・両面テープ、４・・ステンレスバンド、５・・テープ、１０・・電柱。
【図１】
2016013100.tif 000003
【図２】
2016013100.tif 000004
【図３】
2016013100.tif 000005
【図４】
2016013100.tif 000006
【図５】
2016013100.tif 000007